(57)【要約】【課題】自動車投光装置の改善された照明装置を提供する。【解決手段】自動車投光装置用の照明装置。該照明装置は、光ビームを主放射方向へ放射するよう構成された複数の光源（１０）、・複数の導光体（１１０）を有する一次光学系（１００）、ここで、複数の導光体（１１０）は光源（１０）の主放射方向に配置されており、夫々光源の光ビームが入射可能な光入射面（１２０）と、共通の光出射面（１３０）とを有し、複数の導光体（１１０）は共通の光出射面（１３０）において合流しており、及び、導光体（１１０）の光入射面（１２０）を光源（１０）に対して位置を維持するよう構成されたホルダ（２００）を含む。ホルダ（２００）は、一次光学系（１００）の固定のために、少なくとも１つの係止要素（２１０）を有し、係止要素（２１０）は該係止要素（２１０）に対応付けられ一次光学系（１００）に設けられた対応係止要素（１４０）内に嵌め込まれるよう構成されている。【選択図】図１
2021525447.tif 000002
【特許請求の範囲】
【請求項１】
自動車投光装置用の照明装置であって、該照明装置は、
・光ビームを主放射方向へ放射するよう構成された複数の光源（１０）、
・複数の導光体（１１０）を有する一次光学系（１００）、ここで、複数の導光体（１１０）は光源（１０）の主放射方向に配置されており、夫々光源の光ビームが入射可能な光入射面（１２０）と、共通の光出射面（１３０）とを有し、複数の導光体（１１０）は共通の光出射面（１３０）において合流しており、及び、
・導光体（１１０）の光入射面（１２０）を光源（１０）に対して位置を維持するよう構成されたホルダ（２００）
を含み、
ホルダ（２００）は、一次光学系（１００）の固定のために、少なくとも１つの係止要素（２１０）を有し、係止要素（２１０）は該係止要素（２１０）に対応付けられ一次光学系（１００）に設けられた対応係止要素（１４０）内に嵌め込まれるよう構成されていること
を特徴とする照明装置。
【請求項２】
請求項１に記載の照明装置において、
少なくとも１つの係止要素（２１０）は係止ノーズ（２２０）を有するか又はアンダーカット部として構成されていること
を特徴とする照明装置。
【請求項３】
請求項１又は２に記載の照明装置において、
対応係止要素（１４０）は係止ノーズを有するか又はアンダーカット部（１４０）として構成されていること
を特徴とする照明装置。
【請求項４】
請求項１〜３の何れかに記載の照明装置において、
少なくとも１つの係止要素（２１０）はホルダ（２００）と一体的に製造されていること
を特徴とする照明装置。
【請求項５】
請求項１〜４の何れかに記載の照明装置において、
一次光学系（１００）は透明で、導光性で成形可能なプラスチックで一体的に製造されていること
を特徴とする照明装置。
【請求項６】
請求項１〜５の何れかに記載の照明装置において、
一次光学系（１００）はシリコーン材料で、好ましくはポリオルガノシロキサンで製造されていること
を特徴とする照明装置。
【請求項７】
請求項１〜６の何れかに記載の照明装置において、
ホルダ（２００）は、導光体（１１０）を受容可能かつ位置決め可能な少なくとも１つの開口部（２３１）を有する受容部（２３０）を備えること、好ましくは、ホルダ（２００）は、導光体（１１０）の個数に応じて、夫々１つの導光体（１１０）に対応付けられている開口部（２３１）を有すること
を特徴とする照明装置。
【請求項８】
請求項１〜７の何れかに記載の照明装置において、
ホルダ（２００）は、一次光学系（１００）に設けられた凹部に嵌り込むよう構成され主放射方向に突出している位置決め壁（２４０）を少なくとも１つ有すること
を特徴とする照明装置。
【請求項９】
請求項８に記載の照明装置において、
主放射方向においてホルダ（２００）の受容部（２３０）の両側部に夫々少なくとも１つの位置決め壁（２４０）が配されていること
を特徴とする照明装置。
【請求項１０】
請求項８又は９に記載の照明装置において、
少なくとも１つの位置決め壁（２４０）には少なくとも１つの隆起部（２４１）が配されており、該少なくとも１つの隆起部（２４１）は、主放射方向の方向に長手に延伸し、かつ、一次光学系（１００）の当該少なくとも１つの隆起部（２４１）に対応付けられた案内溝に形状結合的に（即ち蟻継式に）嵌り込むよう構成されていること
を特徴とする照明装置。
【請求項１１】
請求項１〜１０の何れかに記載の照明装置において、
導光体（１１０）は、光ビームの主放射方向においてその横方向よりもより大きな広がりを有するよう長手に構成されていること
を特徴とする照明装置。
【請求項１２】
請求項１〜１１の何れかに記載の照明装置において、
導光体（１１０）は、その光入射面（１２０）に向かって次第に狭くなる横断面を有すること
を特徴とする照明装置。
【請求項１３】
請求項１〜１２の何れかに記載の照明装置において、
複数の光源（１０）は夫々１つ以上の発光ダイオードを含むこと
を特徴とする照明装置。
【請求項１４】
請求項１〜１３の何れかに記載の照明装置を少なくとも１つ含むライトモジュール。
【請求項１５】
請求項１〜１３の何れかに記載の照明装置を少なくとも１つ又は請求項１４に記載のライトモジュールを少なくとも１つ含む自動車投光装置。
【発明の詳細な説明】
【技術分野】
【０００１】
本発明は、自動車投光装置用の照明装置であって、
・光ビームを主放射方向へ放射するよう構成された複数の光源、
・複数の導光体を有する一次光学系、ここで、複数の導光体は光源の主放射方向に配置されており、夫々光源の光ビームが入射可能な光入射面と、共通の光出射面とを有し、複数の導光体は共通の光出射面において合流（ないし一体化）しており（muenden）、及び、
・導光体の光入射面を光源に対して位置を維持するよう構成されたホルダ
を含む、照明装置に関する。
【０００２】
本発明は、更に、少なくとも１つの本発明の照明装置を含むライトモジュールに関する。
【０００３】
本発明は、更に、少なくとも１つの本発明の照明装置又は少なくとも１つの本発明の照明装置を含む少なくとも１つのライトモジュールを有する自動車投光装置に関する。
【背景技術】
【０００４】
通常は、上記の照明装置は、光分布（配光パターン）を生成するために、ライトモジュールないし自動車投光装置との関連で使用される。そのために、一般的に、一次光学系のための単純な幾何形状を可能にするガラス製の一次光学系が使用される。これに対し、一次光学系のためにより複雑な幾何形状が必要である場合、そのためのガラスの使用はしばしば不適切である。
【０００５】
複雑な幾何形状の製造のためにガラスの代わりに、透明で、とりわけ高透明で、導光性で成形可能な（formbar）プラスチックが材料として良好に適することが判明している。複雑な前置光学系の製造のためには、ポリオルガノシロキサン（Poly(organo)siloxane）が格別に好適であり、一次光学系がシリコーン材料で製造される場合、格別に有利である。
【先行技術文献】
【特許文献】
【０００６】
【特許文献１】ＷＯ ２０１３１６６５３５ Ａ２
【特許文献２】ＷＯ ２０１５０６１８２２ Ａ１
【特許文献３】ＷＯ ２０１４１２４４７７ Ａ１
【特許文献４】ＷＯ ２０１４０９４０１８ Ａ１
【特許文献５】ＦＲ ３０５６７００ Ａ１
【発明の概要】
【発明が解決しようとする課題】
【０００７】
しかしながら、一次光学系の製造のためのそのようなプラスチック、とりわけシリコーン樹脂の使用の欠点は、そのような一次光学系はガラス体のような強度を有しないことである。しかしながら、光学的観点からは、とりわけ発光手段ないし光源に対するその光入射面ないしその光出射面の位置決めを考慮すれば、一次光学系が可及的に安定な形状を有することは有利ないし不可欠である。発光手段ないし光源に対する光入射面のズレは、とりわけ光源として発光ダイオードを使用する場合、例えば不所望の光損失をもたらす。
【０００８】
前置光学系の光出射面のズレもまた、結像された光像が所望の要求を満たさないという結果をもたらし得る。
【０００９】
本発明の課題は、改善された照明装置を提供することである。
【課題を解決するための手段】
【００１０】
この課題は、ホルダが一次光学系の固定のために少なくとも１つの係止要素を有し、係止要素は当該係止要素に対応付けられ一次光学系に設けられた対応係止要素内に嵌め込まれるよう構成されていることによって解決される。
【発明を実施するための形態】
【００１１】
かくして、ホルダにおいて一次光学系を保持するために、例えば従来技術においてしばしば使用されるような更なる付加的部材は不要になることが保証される。
【００１２】
有利には、照明装置は、複数の光源が列（複数）及び行（複数）に配置されている「ピクセルライト装置（Pixel-Licht-Vorrichtung）」である。
【００１３】
そのようなピクセルライト装置の場合、複数の光源は互いに対し独立に制御可能であり、これにより、複数の異なる光分布、とりわけアダプティブ（可変適応型）遠方ライト（ハイビーム）用光分布を生成することができる。
【００１４】
少なくとも１つの係止要素は係止ノーズを有するか又はアンダーカット部（係合凹部：Hinterschnitt）として構成されていることが可能である。
【００１５】
対応係止要素は係止ノーズを有するか又はアンダーカット部として構成されていることも可能である。
【００１６】
実用に適う一実施形態では、少なくとも１つの係止要素は係止ノーズを有しかつ対応係止要素はアンダーカット部として構成されることができる。
【００１７】
有利には、一次光学系が光源の主放射方向に対し横方向に長手に構成されている場合、一次光学系の縦軸に沿って複数のアンダーカット部を配することができる。この場合、ホルダには、アンダーカット部の個数に応じて、係止要素が配される。
【００１８】
有利には、少なくとも２つの係止要素と夫々に対応付けられたアンダーカット部を備えることができる。
【００１９】
とりわけ、アンダーカット部ないし相応の係止要素は光出射面ないし光源の上方ないし下方に配される。ここで、「上方」／「下方」とは、照明装置の組立状態において光源の主放射方向に対し横方向に（長手に構成された）一次光学系の既述の縦軸に関する概念である。
【００２０】
「主放射方向」とは、光源がその指向性のために最も強いないし最も多い光を放射する方向と理解されるべきである。
【００２１】
係止要素がアンダーカット部として構成されかつ対応係止要素が係止ノーズを有することも可能である。
【００２２】
少なくとも１つの係止要素はホルダと一体的に製造されていると、有利であり得る。
【００２３】
ホルダは熱可塑性物質で製造されることが可能である。
【００２４】
熱可塑性物質は、熱硬化性物質と比べてより良好にないしより容易に成形可能（formbar）である。
【００２５】
ホルダは、とりわけ隣接する光源からの迷光が遮断されるよう、迷光を遮断する材料即ち非透光性材料で、例えば黒色のプラスチック、とりわけ―例えば黒色の―熱可塑性物質で製造されていると、とりわけ有利である。
【００２６】
位置決めホルダ（Positionshalter）（ないしホルダ）内への光の損失を回避するための、代替的な又は有利には付加的な更なる一措置は、位置決めホルダが、１つの導光体（ないし複数の導光体）と位置決めホルダとの接触面が可及的に小さいように、構成されることである。
【００２７】
そのために、導光体は、位置決めホルダに、狭い接触領域においてのみ、例えば各導光体の周囲に延在するラインにおいて、接触する。
【００２８】
有利には、一次光学系は透明で、導光性で成形可能なプラスチックで一体的に製造されることができる。
【００２９】
「一体的に」とは、一次光学系が、有利には射出成形法によって、単一体（ないし一個の物：Stueck）として製造されることと理解されるべきである。
【００３０】
一次光学系は、そのすべての「部材」が、例えば光出射面、導光体、対応係止要素及び一次光学系に配される更なる「部材」が、１つの製造プロセスないし製造方法で一体的にないし単一体として製造されていることに注意すべきである。
【００３１】
目的に適う一実施形態では、一次光学系はシリコーン（樹脂）材料で製造されることができる。
【００３２】
シリコーン材料はエラストマー特性を有するため、一次光学系の製造における離型は付加的なスライダが無くても可能である。というのは、一次光学系は好ましくは射出成形法によって製造されるからである。
【００３３】
同様に、有利には、一次光学系はポリオルガノシロキサンで製造されることができる。
【００３４】
有利には、ホルダは、導光体を受容可能かつ位置決め可能な少なくとも１つの開口部を有する受容部を備えることが可能である。
【００３５】
ホルダが、各導光体のために、対応付けられた導光体をぴったり正確に（passgenau）受容しかつ位置決めする開口部を有する場合、個々の導光体はそれらの位置が光源に対して格別に良好に維持されることができる。
【００３６】
開口部は、夫々の導光体について正確に（寸法形状が）適合された横断面を有する、ホルダの穴ないし収容部（Aufnahmen）である。導光体は対応付けられた開口部に嵌め込まれ、ホルダによって所望の位置に保持される。
【００３７】
ホルダは、導光体の個数に応じて、夫々１つの導光体に対応付けられている開口部を有することができる。
【００３８】
ホルダが導光体（複数）を光入射面に指向されたそれらの端部領域において受容する場合、好都合であり得る。
【００３９】
この場合、導光体は、収容部から後方に僅かに突出するか又はホルダと面一になることが可能である。
【００４０】
更に、ホルダは一次光学系に設けられた凹部（Vertiefung）に嵌り込むよう構成され主放射方向に突出している位置決め壁を少なくとも１つ有することができる。
【００４１】
「壁」とは、基本的に、平面状の１つの突出部としてのみ理解すべきではない。この概念は、例えば互いに対し直角に配置されている及び／又は一種の開いた四角形（Karree）を形成する即ち全部合わせてＵ字形状を形成する複数の平面状の壁の結合体も包含し得る。
【００４２】
位置決め壁（複数）は同じ又は異なる高さを有することが可能であり、とりわけ、高さが漸次的に（徐々に）変化するようにも構成可能である。
【００４３】
少なくとも１つの位置決め壁は、一般に、照明装置の組立状態において一次光学系の更なる安定性をもたらし、そのため、光源の主放射方向に対する横方向における振動を大幅に防止することができる。
【００４４】
主放射方向においてホルダの受容部の両側部に夫々少なくとも１つの位置決め壁が配されることができる。
【００４５】
少なくとも１つの位置決め壁には少なくとも１つの隆起部（突出部）が配され、該少なくとも１つの隆起部は、主放射方向の方向に長手に（長く）延伸し、かつ、一次光学系の当該少なくとも１つの隆起部に対応付けられた案内溝に形状結合（蟻継結合等のような輪郭形状間の嵌め合いによる結合）的に嵌り込むよう構成されると、好都合であり得る。
【００４６】
少なくとも１つの隆起部はホルダに一次光学系が固定された状態において付加的な安定性をもたらすことが（本発明により）判明した。
【００４７】
更に、ホルダと導光体（複数）の間の開口部（複数）に、夫々、導光体の材料よりもより小さい屈折率を有する材料を挿入することも可能である。
【００４８】
より小さい屈折率を有する材料が、導光体が位置決めホルダに接触しないよう導光体を包囲すると、とりわけ有利である。
【００４９】
それによって、全反射の臨界角は大きくなり、そのため、導光体から漏れ出る光の量は全くないか又はごく僅かだけである。
【００５０】
有利には、導光体は、光ビームの主放射方向においてその横方向よりもより大きな広がりを有するよう長手に（長く）構成されることができる。
【００５１】
導光体は、その光入射面に向かって次第に狭くなる（先細になる）横断面を有することができる。
【００５２】
導光体がそのように主放射方向に拡大する横断面を有することによって、ホルダは導光体の或る位置にまでのみ（外側から）嵌め込まれることができる。
【００５３】
例えば、導光体は円錐台状に又は台形状に構成されることができる。
【００５４】
原理的には、すべての多辺角錐台、例えば、ほぼ楔形の（先細の）蜂房（蜂の巣ないしハニカム）の形状の、六角錐台が、考慮の対象となる。底面形状はＬＥＤチップ構造及び所望の光入出射と密接に関連する。
【００５５】
光源（複数）は夫々１つ以上の発光ダイオードを含むと、好都合であり得る。
【００５６】
有利には、各光源は夫々１つ以上の発光ダイオードを含むことができる。有利には、各光源は別々に制御可能であり、それに応じて（別々に）オンオフ切替可能であり、好ましくは（別々に）明暗調節可能である。１つの光源が複数の発光ダイオードから構成される場合、複数の発光ダイオードの各々が別々に制御可能である場合も、有利であり得る。
【００５７】
同様に、上記の課題は、少なくとも１つの本発明の照明装置を含むライトモジュールによっても解決される。
【００５８】
更に、上記の課題は、少なくとも１つの本発明の照明装置又は少なくとも１つの本発明の照明装置を含む少なくとも１つのライトモジュールを含む自動車投光装置（自動車前照灯等）によって解決される。
【００５９】
本発明の照明装置によって、例えば、減光ライト（ロービーム）及び／又は遠方ライト（ハイビーム）を生成することができ、そのために、例えば、左側前照灯及び右側前照灯は夫々光分布（配光パターン）の左側部分及び右側部分を生成する本発明の照明装置を含む。この場合、光出射方向においてホルダの前方には夫々更に、夫々の光分布の生成を可能にする二次光学系、一般的にはレンズ、が設けられる。
【００６０】
尤も、本発明の照明装置は、後退灯（Rueckfahrleuchte）にも使用可能である。
【００６１】
以下において、本発明は例示的な図面を用いて詳細に説明される。
【図面の簡単な説明】
【００６２】
【図１】ホルダと一次光学系を含む例示的な一照明装置の分解斜視図。ホルダは一次光学系を固定するための２つの係止要素を有する。
【図２】図１の照明装置を後方から見た図。
【図３】図１〜図２の例示的照明装置の組立状態。
【図３ａ】図３の照明装置のＣ−Ｃ断面図。
【図４】照明装置を備えた例示的な一ライトモジュールの分解斜視図。
【実施例】
【００６３】
図１は、主放射方向へ光ビームを放出するよう構成された複数の光源１０と、複数の導光体１１０を有する一次光学系１００と、ホルダ２００を含む例示的な一照明装置を示す。ここで、複数の導光体１１０は、光源（複数）１０の主放射方向に配置（配向）されており、かつ、夫々、光入射面１２０と光出射面１３０を有し、ホルダ２００は、光源１０に対する導光体１１０の光入射面１２０の位置を維持するよう、構成されている。更に、複数の導光体１１０は共通の光出射面１３０において合流（ないし一体化）している（muenden）：即ち複数の導光体１１０は光入射側では相互に結合されておらず、光出射側において共通の光出射面１３０を介して相互に構造的に結合されている）。
【００６４】
光源（複数）１０は夫々１つ以上の発光ダイオードを含み、有利には、各光源が夫々１つ以上の発光ダイオードを含む。有利には、各光源は別々に（個別に）制御可能であり、それに応じて（別々に）オンオフ切替可能であり、有利には（別々に）明暗調節も可能である。１つの光源が複数の発光ダイオードから構成される場合、発光ダイオードの各々が別々に制御可能である場合も有利であり得る。
【００６５】
「主放射方向」とは、一般に、光源１０がその指向性のために最も強いないし最も多い光を放射する方向と理解されるべきである。
【００６６】
図示の構造では、主放射方向は各図に夫々記載された座標系のｘ方向に対応する。
【００６７】
更に、ホルダ２００は、一次光学系１００の固定のために、夫々係止ノーズ２２０を備えて構成された２つの係止要素２１０を有し、係止ノーズは当該係止ノーズに夫々対応付けられたアンダーカット部（係合凹部：Hinterschnitt）１４０に嵌り込むよう構成されている。このアンダーカット部１４０は一次光学系１００に配されているが、図１では表示の関係上視認できない。
【００６８】
尤も、一次光学系１００には３つ以上の係止要素２１０と夫々に対応するアンダーカット部１４０を設けることも可能である。
【００６９】
照明装置の図示の例では、係止要素２１０はホルダ２００と一体的に製造されている。
【００７０】
一次光学系１００は、透明で導光性で成形可能な（formbar）プラスチック、有利にはシリコーン（樹脂）材料ないしポリオルガノシロキサンで製造されている。
【００７１】
更に、ホルダ２００が導光体（複数）の個数に対応して設けられた開口部（複数）２３１を備えた受容部２３０を有すること、（各）開口部２３１は夫々１つの導光体１１０に対応付けられていること、一次光学系１００の導光体１１０は開口部２３１において受容可能かつ位置決め可能であること、ホルダ２００は導光体（複数）１１０を光入射面１２０に指向されたそれらの終端部分において受容することが、図１において―図２にはより良好に―見て取ることができる。
【００７２】
更に、ホルダ２００は、一次光学系１００に設けられた凹部に嵌り込むよう構成された主放射方向ないしｘ方向に突出する２つの位置決め壁（構造部）２４０を有する。
【００７３】
「位置決め壁」とは、基本的に、平面状の１つの突出部としてのみ理解すべきではない。この概念は、例示的照明装置について図示されているように、有利には夫々の側辺部において、互いに結合された複数の平面状の壁の結合体も含み得る。この場合、個々の壁は互いに対し直角をなして立設されており、一種の開いた（開口した）四角形ないしＵ字形状を形成し、結合により生じるコーナー領域は丸みをつけることも可能である。
【００７４】
更に、位置決め壁２４０の個々の部分は同じ高さを有さず、徐々に（なだらかに）高さが変化ないし推移していることが図１において見て取ることができる。
【００７５】
位置決め壁２４０は、一般に、照明装置の組立状態において一次光学系１００の更なる安定性をもたらし、そのため、主放射方向に対する横方向における振動ないしｙ方向における振動を大幅に防止することができる。
【００７６】
更に、位置決め壁２４０には隆起部ないしリブ（複数）２４１を配することが可能であり、隆起部２４１は主放射方向の方向ないしｘ方向に長手に（長く）延伸し、かつ、一次光学系１００の当該隆起部２４１に夫々対応付けられた案内溝に形状結合的に嵌り込むよう構成されている。そのような隆起部２４１は、ホルダ２００に一次光学系１００を固定した状態において付加的な安定性をもたらす。
【００７７】
図１に示されているように、（２つの）位置決め壁２４０は夫々受容部２３０のｙ軸の側方にないしｙ軸に沿って配置されており、（２つの）位置決め壁２４０の開放側部は互いに向かい合うよう整列（配向）されており、かつ、受容部２３０を部分的に制限ないし境界形成している。
【００７８】
図２は図１の照明装置を後方から見た図である。図２において、図示の照明装置の導光体１１０は、光ビームの放射方向ないしｘ軸においてその横方向（ｙ方向）におけるよりもより大きな（ｚ方向の）広がりを以って（即ち（ｘ軸の任意の或る位置で見て）ｚ方向の寸法がｙ方向の寸法よりもより大きくなるよう）、（ｘ軸に沿って）長手に（長く）構成されていることを見て取ることができる。更に、導光体１１０はその光入射面１２０に向かって次第に狭くなる（先細になる）横断面を有する。そのように導光体１１０の横断面が主放射方向ないしｘ方向に応じて拡大することによって、ホルダ２００は導光体１１０の或る位置にまでのみ（外側から）嵌め込まれることができる（所定位置で開口部２３１に係止される）。
【００７９】
図３は図１〜図２の照明装置の組立状態を示す。図３ａはＣ−Ｃ線に沿って切った断面を示す。同図において、個々の導光体１１０が開口部２３１にぴったり正確に（passgenau）受容されかつ位置決めされている様子を見て取ることができる。
【００８０】
開口部２３１は、夫々の導光体１１０について正確に（寸法形状が）適合された横断面を有する、ホルダの穴ないし収容部（Aufnahmen）を構成する。導光体は対応付けられた開口部２３１に嵌め込まれ、その際、図３ａにおいて見て取ることができるように、開口部２３１から後方に僅かに突出するか、又は、ホルダ２００ないし開口部２３１と面一になることが可能である。
【００８１】
図４は、前図の照明装置を含む例示的ライトモジュールを示す。ライトモジュールは、付加的に、光源１０が配置されている回路基板１１と、光源の運転時に発生する熱を排出するよう構成された冷却体５００と、二次光学系３００と、他の部材を収容するためのハウジング４００を含む。二次光学系は、所望の光分布、例えば減光ライト（ロービーム）用光分布及び／又は遠方ライト（ハイビーム）用光分布、を獲得するために、照明装置の光出射面１３０から出射する光ビームを成形するよう、構成されている。なお、他のないし更なる光分布も可能である。
【００８２】
ライトモジュールの組立状態において、光源１０を有する回路基板１１は冷却体５００とホルダ２００の間に保持され、冷却体に設けられた突起（複数）は回路基板をそのために形成された開口部（穴）を貫通して据え付けられる。
【００８３】
【符号の説明】
【００８４】
１０      光源
１１      回路基板
１００    一次光学系
１１０    導光体
１２０    光入射面
１３０    光出射面
１４０    アンダーカット部
２００    ホルダ
２１０    係止要素
２２０    係止ノーズ
２３０    受容部
２３１    開口部
２４０    位置決め壁（構造部）
２４１    隆起部
３００    二次光学系
４００    ハウジング
５００    冷却体
【図１】
2021525447.tif 000003
【図２】
2021525447.tif 000004
【図３】
2021525447.tif 000005
【図３ａ】
2021525447.tif 000006
【図４】
2021525447.tif 000007
【手続補正書】
【提出日】令和3年1月5日(2021.1.5)
【手続補正１】
【補正対象書類名】特許請求の範囲
【補正対象項目名】請求項６
【補正方法】変更
【補正の内容】
【請求項６】
請求項１〜５の何れかに記載の照明装置において、
一次光学系（１００）はシリコーン材料又はポリオルガノシロキサンで製造されていること
を特徴とする照明装置。
【手続補正２】
【補正対象書類名】特許請求の範囲
【補正対象項目名】請求項７
【補正方法】変更
【補正の内容】
【請求項７】
請求項１〜６の何れかに記載の照明装置において、
ホルダ（２００）は、導光体（１１０）を受容可能かつ位置決め可能な少なくとも１つの開口部（２３１）を有する受容部（２３０）を備えること、ホルダ（２００）は、導光体（１１０）の個数に応じて、夫々１つの導光体（１１０）に対応付けられている開口部（２３１）を有すること
を特徴とする照明装置。
【手続補正３】
【補正対象書類名】明細書
【補正対象項目名】００１０
【補正方法】変更
【補正の内容】
【００１０】
この課題を解決するために、本発明の第１の視点により、自動車投光装置用の照明装置が提供される。該照明装置は、
・光ビームを主放射方向へ放射するよう構成された複数の光源、
・複数の導光体を有する一次光学系、ここで、複数の導光体は光源の主放射方向に配置されており、夫々光源の光ビームが入射可能な光入射面と、共通の光出射面とを有し、複数の導光体は共通の光出射面において合流しており、及び、
・導光体の光入射面を光源に対して位置を維持するよう構成されたホルダ
を含み、
ホルダが一次光学系の固定のために少なくとも１つの係止要素を有し、係止要素は当該係止要素に対応付けられ一次光学系に設けられた対応係止要素内に嵌め込まれるよう構成されていることを特徴とする（形態１）。
更に、本発明の第２の視点により、本発明の照明装置を少なくとも１つ含むライトモジュールが提供される（形態１４）。
更に、本発明の第３の視点により、本発明の照明装置を少なくとも１つ又は本発明のライトモジュールを少なくとも１つ含む自動車投光装置が提供される（形態１５）。
【手続補正４】
【補正対象書類名】明細書
【補正対象項目名】００６１
【補正方法】変更
【補正の内容】
【００６１】
ここに、本発明の好ましい形態を示す。
（形態１）上記本発明の第１の視点参照。
（形態２）形態１の照明装置において、少なくとも１つの係止要素は係止ノーズを有するか又はアンダーカット部として構成されていることが好ましい。
（形態３）形態１又は２の照明装置において、対応係止要素は係止ノーズを有するか又はアンダーカット部として構成されていることが好ましい。
（形態４）形態１〜３の何れかの照明装置において、少なくとも１つの係止要素はホルダと一体的に製造されていることが好ましい。
（形態５）形態１〜４の何れかの照明装置において、一次光学系は透明で、導光性で成形可能なプラスチックで一体的に製造されていることが好ましい。
（形態６）形態１〜５の何れかの照明装置において、一次光学系はシリコーン材料又はポリオルガノシロキサンで製造されていることが好ましい。
（形態７）形態１〜６の何れかの照明装置において、ホルダは、導光体を受容可能かつ位置決め可能な少なくとも１つの開口部を有する受容部を備えること、ホルダは、導光体の個数に応じて、夫々１つの導光体に対応付けられている開口部を有することが好ましい。
（形態８）形態１〜７の何れかの照明装置において、ホルダは、一次光学系に設けられた凹部に嵌り込むよう構成され主放射方向に突出している位置決め壁を少なくとも１つ有することが好ましい。
（形態９）形態８の照明装置において、主放射方向においてホルダの受容部の両側部に夫々少なくとも１つの位置決め壁が配されていることが好ましい。
（形態１０）形態８又は９の照明装置において、少なくとも１つの位置決め壁には少なくとも１つの隆起部が配されており、該少なくとも１つの隆起部は、主放射方向の方向に長手に延伸し、かつ、一次光学系の当該少なくとも１つの隆起部に対応付けられた案内溝に形状結合的に（即ち蟻継式に）嵌り込むよう構成されていることが好ましい。
（形態１１）形態１〜１０の何れかの照明装置において、導光体は、光ビームの主放射方向においてその横方向よりもより大きな広がりを有するよう長手に構成されていることが好ましい。
（形態１２）形態１〜１１の何れかの照明装置において、導光体は、その光入射面に向かって次第に狭くなる横断面を有することが好ましい。
（形態１３）形態１〜１２の何れかの照明装置において、複数の光源は夫々１つ以上の発光ダイオードを含むことが好ましい。
（形態１４）上記本発明の第２の視点参照。
（形態１５）上記本発明の第３の視点参照。
以下において、本発明は例示的な図面を用いて詳細に説明される。
なお、特許請求の範囲に付記した図面参照符号は専ら発明の理解を助けるためのものであり、本発明を図示の態様に限定することは意図していない。
【手続補正５】
【補正対象書類名】明細書
【補正対象項目名】００８３
【補正方法】変更
【補正の内容】
【００８３】
ここに、本発明の可能な態様を付記する。
［付記１］自動車投光装置用の照明装置。該照明装置は、
・光ビームを主放射方向へ放射するよう構成された複数の光源、
・複数の導光体を有する一次光学系、ここで、複数の導光体は光源の主放射方向に配置されており、夫々光源の光ビームが入射可能な光入射面と、共通の光出射面とを有し、複数の導光体は共通の光出射面において合流しており、及び、
・導光体の光入射面を光源に対して位置を維持するよう構成されたホルダ
を含む。
ホルダは、一次光学系の固定のために、少なくとも１つの係止要素を有し、係止要素は該係止要素に対応付けられ一次光学系に設けられた対応係止要素内に嵌め込まれるよう構成されている。
［付記２］上記の照明装置において、少なくとも１つの係止要素は係止ノーズを有するか又はアンダーカット部として構成されている。
［付記３］上記の照明装置において、対応係止要素は係止ノーズを有するか又はアンダーカット部として構成されている。
［付記４］上記の照明装置において、少なくとも１つの係止要素はホルダと一体的に製造されている。
［付記５］上記の照明装置において、一次光学系は透明で、導光性で成形可能なプラスチックで一体的に製造されている。
［付記６］上記の照明装置において、一次光学系はシリコーン材料で、好ましくはポリオルガノシロキサンで製造されている。
［付記７］上記の照明装置において、ホルダは、導光体を受容可能かつ位置決め可能な少なくとも１つの開口部を有する受容部を備えること、好ましくは、ホルダは、導光体の個数に応じて、夫々１つの導光体に対応付けられている開口部を有する。
［付記８］上記の照明装置において、ホルダは、一次光学系に設けられた凹部に嵌り込むよう構成され主放射方向に突出している位置決め壁を少なくとも１つ有する。
［付記９］上記の照明装置において、主放射方向においてホルダの受容部の両側部に夫々少なくとも１つの位置決め壁が配されている。
［付記１０］上記の照明装置において、少なくとも１つの位置決め壁には少なくとも１つの隆起部が配されており、該少なくとも１つの隆起部は、主放射方向の方向に長手に延伸し、かつ、一次光学系の当該少なくとも１つの隆起部に対応付けられた案内溝に形状結合的に（即ち蟻継式に）嵌り込むよう構成されている。
［付記１１］上記の照明装置において、導光体は、光ビームの主放射方向においてその横方向よりもより大きな広がりを有するよう長手に構成されている。
［付記１２］上記の照明装置において、導光体は、その光入射面に向かって次第に狭くなる横断面を有する。
［付記１３］上記の照明装置において、複数の光源は夫々１つ以上の発光ダイオードを含む。
［付記１４］上記の照明装置を少なくとも１つ含むライトモジュール。
［付記１５］上記の照明装置を少なくとも１つ又は上記のライトモジュールを少なくとも１つ含む自動車投光装置。
【国際調査報告】
2021525447.tif 000008
2021525447.tif 000009
2021525447.tif 000010
2021525447.tif 000011
2021525447.tif 000012
2021525447.tif 000013